(57)【特許請求の範囲】
【請求項１】
入力された原稿画像を分割して自装置で形成可能な記録媒体を用いて画像形成するときの前記原稿画像の分割数を算出する算出手段と、
前記記録媒体の大きさから前記自装置で画像形成する場合の画像形成不可能な余白部分を除いた大きさと前記算出手段によって算出された前記分割数とに基づいた仮想画像形成範囲を、前記原稿画像の中央を基準として前記原稿画像から切り出して、切り出した画像を前記算出手段によって算出した分割数に分割する分割手段と、
前記分割手段で分割した画像を前記記録媒体に形成する画像形成手段と、
を備え、
前記算出手段が、前記原稿画像の大きさを、自装置で形成可能な記録媒体の大きさで除算して、小数点以下を切り下げることにより前記原稿画像の分割数を算出する画像形成装置。
【請求項２】
入力された原稿画像を分割して自装置で形成可能な記録媒体を用いて画像形成するときの前記原稿画像の分割数を算出する算出手段と、
前記記録媒体の大きさから前記自装置で画像形成する場合の画像形成不可能な余白部分を除いた大きさと前記算出手段によって算出された前記分割数とに基づいた仮想画像形成範囲を、前記原稿画像の中央を基準として前記原稿画像から切り出して、切り出した画像を前記算出手段によって算出した分割数に分割する分割手段と、
前記分割手段で分割した画像を前記記録媒体に形成する画像形成手段と、
を備え、
前記算出手段が、自装置で形成可能な記録媒体の大きさよりも大きな原稿画像の大きさを、自装置で形成可能な記録媒体の大きさで除算することにより、前記原稿画像を自装置で画像形成するための分割数を算出する第１算出手段、及び前記原稿画像の大きさを、自装置で形成可能な記録媒体の大きさから前記余白部分を除く大きさで除して、小数点以下を切り上げることにより、前記原稿画像を自装置で画像形成するための分割数を算出する第２算出手段を含み、
前記記録媒体の大きさから前記自装置で画像形成する場合の画像形成不可能な余白部分を除いた大きさと前記第１算出手段によって算出された前記分割数とに基づいた仮想画像形成範囲を、前記原稿画像の中央を基準として前記原稿画像から切り出したときの残りの部分に画像が存在しない場合に、前記第１算出手段による算出結果を分割数として適用し、前記残りの部分に画像が存在する場合に、前記第２算出手段によって前記原稿画像の分割数を算出する画像形成装置。
【請求項３】
前記分割手段によって前記原稿画像の中央を基準として前記仮想画像形成範囲が前記原稿画像から切り出された残りの部分における上下方向又は左右方向の一方に画像が存在する場合に、画像が存在する方向の分割数を増加することにより前記分割数を再算出し、再算出した分割数で前記原稿画像を分割するように前記算出手段及び前記分割手段を制御する制御手段を更に備えた請求項１に記載の画像形成装置。
【請求項４】
前記分割手段によって前記原稿画像の中央を基準として前記仮想画像形成範囲が前記原稿画像から切り出された残りの部分に画像が存在する場合に、前記原稿画像を９０度回転して前記算出手段によって分割数を再算出し、分割数が減少する場合に、再算出した分割数で前記原稿画像を分割するように前記算出手段及び前記分割手段を制御する制御手段を更に備えた請求項１に記載の画像形成装置。
【請求項５】
前記分割手段は、前記画像形成装置の予め定めた画像形成誤差を補正した余白情報に基づいて前記余白部分を算出して、前記原稿画像の中央を基準として前記仮想画像形成範囲を切り出す請求項１〜４の何れか１項に記載の画像形成装置。
【請求項６】
前記分割手段の分割結果に基づいて前記原稿画像を分割した各分割画像をそれぞれ縮小して１ページに配置した分割確認用の画像情報を生成する生成手段を更に備えた請求項１〜５の何れか１項に記載の画像形成装置。
【請求項７】
コンピュータを、請求項１〜６の何れか１項に記載の画像処理装置の前記分割手段及び前記算出手段として機能させるための画像処理プログラム。
【発明の詳細な説明】
【技術分野】
【０００１】
本発明は、画像形成装置及び画像処理プログラムに関する。
【背景技術】
【０００２】
図面やポスターなどの大きな画像を用紙などの記録媒体に形成する際には、画像形成装置で画像形成可能な画像サイズよりも大きなサイズを望まれることがある。この場合には、元の原稿画像を分割して画像形成することがある。
【０００３】
例えば、特許文献１に記載の技術では、シート状媒体の縁部に余白領域を残して画像を印刷する印刷装置を制御する印刷制御装置を、複数のシート状媒体を並べて構成される１枚の仮想媒体に画像を印刷したとした場合に仮想媒体を構成しているシート状媒体の余白領域に印刷される余白領域部分と、シート状媒体の余白領域以外の領域である印刷領域に印刷される印刷領域部分とに画像を分割する分割手段と、分割手段によって分割された１以上の印刷領域部分をそれぞれ１枚のシート状媒体に印刷させる第１の制御手段と、分割手段によって分割された余白領域部分を印刷領域部分が印刷されたシート状媒体とは別のシート状媒体の印刷領域に印刷させる第２の制御手段として機能させる印刷制御プログラムが提案されている。
【先行技術文献】
【特許文献】
【０００４】
【特許文献１】特開２０１１−１５６７０６号公報
【発明の概要】
【発明が解決しようとする課題】
【０００５】
本発明は、重要部分が存在する可能性が高い原稿画像中央部分が分割画像形成時の余白によって欠損するのを防止することを目的とする。
【課題を解決するための手段】
【０００６】
請求項１に記載の画像形成装置は、入力された原稿画像を分割して自装置で形成可能な記録媒体を用いて画像形成するときの前記原稿画像の分割数を算出する算出手段と、前記記録媒体の大きさから前記自装置で画像形成する場合の画像形成不可能な余白部分を除いた大きさと前記算出手段によって算出された前記分割数とに基づいた仮想画像形成範囲を、前記原稿画像の中央を基準として前記原稿画像から切り出して、切り出した画像を前記算出手段によって算出した分割数に分割する分割手段と、前記分割手段で分割した画像を前記記録媒体に形成する画像形成手段と、を備え、前記算出手段が、前記原稿画像の大きさを、自装置で形成可能な記録媒体の大きさで除算して、小数点以下を切り下げることにより前記原稿画像の分割数を算出する。
【０００７】
請求項２に記載の発明は、入力された原稿画像を分割して自装置で形成可能な記録媒体を用いて画像形成するときの前記原稿画像の分割数を算出する算出手段と、前記記録媒体の大きさから前記自装置で画像形成する場合の画像形成不可能な余白部分を除いた大きさと前記算出手段によって算出された前記分割数とに基づいた仮想画像形成範囲を、前記原稿画像の中央を基準として前記原稿画像から切り出して、切り出した画像を前記算出手段によって算出した分割数に分割する分割手段と、前記分割手段で分割した画像を前記記録媒体に形成する画像形成手段と、を備え、前記算出手段が、自装置で形成可能な記録媒体の大きさよりも大きな原稿画像の大きさを、自装置で形成可能な記録媒体の大きさで除算することにより、前記原稿画像を自装置で画像形成するための分割数を算出する第１算出手段、及び前記原稿画像の大きさを、自装置で形成可能な記録媒体の大きさから前記余白部分を除く大きさで除して、小数点以下を切り上げることにより、前記原稿画像を自装置で画像形成するための分割数を算出する第２算出手段を含み、前記記録媒体の大きさから前記自装置で画像形成する場合の画像形成不可能な余白部分を除いた大きさと前記第１算出手段によって算出された前記分割数とに基づいた仮想画像形成範囲を、前記原稿画像の中央を基準として前記原稿画像から切り出したときの残りの部分に画像が存在しない場合に、前記第１算出手段による算出結果を分割数として適用し、前記残りの部分に画像が存在する場合に、前記第２算出手段によって前記原稿画像の分割数を算出する。
【００１０】
請求項３に記載の発明は、請求項１に記載の発明において、前記分割手段によって前記原稿画像の中央を基準として前記仮想画像形成範囲が前記原稿画像から切り出された残りの部分における上下方向又は左右方向の一方に画像が存在する場合に、画像が存在する方向の分割数を増加することにより前記分割数を再算出し、再算出した分割数で前記原稿画像を分割するように前記算出手段及び前記分割手段を制御する制御手段を更に備えている。
【００１１】
請求項４に記載の発明は、請求項１に記載の発明において、前記分割手段によって前記原稿画像の中央を基準として前記仮想画像形成範囲が前記原稿画像から切り出された残りの部分に画像が存在する場合に、前記原稿画像を９０度回転して前記算出手段によって分割数を再算出し、分割数が減少する場合に、再算出した分割数で前記原稿画像を分割するように前記算出手段及び前記分割手段を制御する制御手段を更に備えている。
【００１２】
請求項５に記載の発明は、請求項１〜４の何れか１項に記載の発明において、前記分割手段は、前記画像形成装置の予め定めた画像形成誤差を補正した余白情報に基づいて前記余白部分を算出して、前記原稿画像の中央を基準として前記仮想画像形成範囲を切り出す。
【００１３】
請求項６に記載の発明は、請求項１〜５の何れか１項に記載の発明において、前記分割手段の分割結果に基づいて前記原稿画像を分割した各分割画像をそれぞれ縮小して１ページに配置した分割確認用の画像情報を生成する生成手段を更に備えている。
【００１４】
請求項７に記載の画像処理プログラムは、コンピュータを、請求項１〜６の何れか１項に記載の画像処理装置の前記分割手段及び前記算出手段として機能させるものである。
【発明の効果】
【００１５】
請求項１、７に記載の発明によれば、重要部分が存在する可能性が高い原稿画像中央部分が分割画像形成時の余白によって欠損するのを防止して、最小限の分割数で原稿画像を分割することができる、という効果がある。
【００１８】
請求項２、３、４に記載の発明によれば、原稿画像の欠損を確実に防止して最小限の分割数で原稿画像を分割することができる、という効果がある。
【００１９】
請求項５に記載の発明によれば、画像形成装置の機械的な誤差によって画像形成されないことがなくなる、という効果がある。
【００２０】
請求項６に記載の発明によれば、原稿画像に対する分割画像の位置をわかりやすくすることができる、という効果がある。
【図面の簡単な説明】
【００２１】
【図１】本発明の第１実施形態に係わる画像形成装置の概略構成を示すブロック図である。
【図２】本発明の第１実施形態に係わる画像形成装置において画像分割処理を実行するための画像処理部の機能構成を示す機能ブロック図である。
【図３】本発明の第１実施形態に係わる画像形成装置の画像処理部で行われる画像分割処理の流れの一例を示すフローチャートである。
【図４】原稿画像の一例を示す図である。
【図５】仮想画像形成範囲の一例を示す図である。
【図６】分割画像の一例を示す図である。
【図７】分割画像の余白が均等になるように行う再構成を説明するための図である。
【図８】本発明の第２実施形態に係わる画像形成装置の画像処理部で行われる画像分割処理の流れの一例を示すフローチャートである。
【図９】第２実施形態の画像分割処理によって原稿画像を９分割した例を示す図である。
【図１０】本発明の第３実施形態に係わる画像形成装置の画像処理部で行われる画像分割処理の流れの一例を示すフローチャートである。
【図１１】原稿画像の周縁部分に画像が存在する例を示す図である。
【図１２】本発明の第４実施形態に係わる画像形成装置の画像処理部で行われる画像分割処理の流れの一例を示すフローチャートである。
【図１３】（Ａ）は原稿画像の上下方向の周縁部分のみ画像が存在する例を示し、（Ｂ）は原稿画像の左右方向の周縁部分のみ画像が存在する例を示す図である。
【図１４】原稿画像の回転前後の分割数の例を示す図であり、（Ａ）は回転前の分割数を示し、（Ｂ）は回転後の分割数を示す図である。
【図１５】分割画像確認用画像の一例を示す図である。
【発明を実施するための形態】
【００２２】
以下、図面を参照して本発明の実施の形態の一例を詳細に説明する。
（第１実施形態）
図１は、本発明の第１実施形態に係わる画像形成装置の概略構成を示すブロック図である。
【００２３】
図１に示すように、画像形成装置１０は、制御部１２、画像蓄積部１４、画像読取部１６、画像処理部１８、画像形成部２０、操作表示部２２、ＦＡＸ２４、ＲＡＭ２６、用紙切れ検知装置２８、及び通信制御部３０を備えており、それぞれバス３２に接続されて構成されている。
【００２４】
画像蓄積部１４には、画像読取部１６によって読み取ることによって得られる画像情報や、通信部やＦＡＸ２４等の通信手段より外部から受信した画像情報を蓄積する。
【００２５】
画像読取部１６は、原稿の画像を予め定めた解像度、または予め設定された解像度で読み取ることによって画像情報を生成し、生成した画像情報を画像蓄積部１４に蓄積する。
【００２６】
画像処理部１８は、画像蓄積部１４に蓄積された画像情報を画像形成部２０で画像形成可能な形式の情報に変換する処理や、後述する画像分割処理などの画像処理を行う。
【００２７】
画像形成部２０は、画像処理部１８によって処理された画像情報に基づいて、予め定めた解像度、或いは予め設定された解像度で用紙に画像を形成する。
【００２８】
ＦＡＸ２４は、公衆回線網（ＰＳＴＮ網やＩＳＤＮ網等）を介してファクシミリ通信を行う。例えば、ファクシミリ送信を行う際には、画像読取部１６によって原稿画像を読み取って得られる画像情報を送信するようにしてもよいし、画像蓄積部１４に蓄積された画像情報を送信するようにしてもよい。また、ファクシミリ受信を行う際には、受信した画像情報を画像蓄積部１４に蓄積するようにしてもよいし、受信した画像情報に基づいて、画像処理部１８によって画像形成可能な形式への変換等の画像処理を行って画像形成部２０で用紙に画像を形成して出力するようにしてもよい。
【００２９】
なお、画像読取部１６は画像形成装置内ではなく外部通信部にあってもよいし、画像形成部２０も外部通信部にあってもよい。
【００３０】
操作表示部２２は、画像形成装置１０の設定や操作を行うための表示部や、該設定や操作を行うための各種操作キーを備えており、画像形成装置１０の設定や操作を行う。
【００３１】
操作表示部２２で操作可能な画像形成装置１０の設定としては、例えば、複写枚数、部数、用紙サイズ、用紙種類、後処理（ステープルや綴じ製本処理、穴あけ処理等）の有無などの設定を操作することで行うことが可能とされている。操作表示部２２は、余白の大きさの設定も行うようにしてもよい。なお、余白の大きさとしては、操作表示部２２によって設定する場合以外に、画像形成不可能な予め定めた領域の大きさを適用してもよい。
【００３２】
一方、ＲＡＭ２６は、システム情報や、通信情報等を記憶すると共に、画像形成装置１０を制御するためのシステムプログラムの作業領域として機能する。
【００３３】
用紙切れ検知装置２８は、画像形成装置１０に格納された各種サイズの用紙の有無を検知する。
【００３４】
そして、制御部１２は、上記各構成要件を制御して画像形成装置１０全体の動作を統括的に制御する。例えば、画像処理部１８による画像処理や、画像形成部２０による画像形成動作を制御する。
【００３５】
ところで、本実施形態に係わる画像形成装置１０は、出力可能な大きさの画像以上の大きさの画像形成要求があった場合に、画像形成可能なサイズ（画像形成可能な最大サイズ、用紙残量があるサイズのうち最大サイズ、または指示されたサイズ）に分割して形成を行う分割出力モードを備えている。分割出力モードは、例えば、操作表示部２２の指示によって実行可能とされる。
【００３６】
分割出力モードが指示された場合には、画像処理部１８において上述の画像分割処理が行われる。
【００３７】
ここで、画像処理部１８で行われる画像分割処理について詳細に説明する。図２は、本発明の第１実施形態に係わる画像形成装置１０において画像分割処理を実行するための画像処理部１８の機能構成を示す機能ブロック図である。なお、図２の各機能構成は、論理回路等の各種ハードウエア構成で実現してもよいし、プログラム等のソフトウエア構成で実現するようにしてもよい。
【００３８】
図２に示すように、画像処理部１８は、画像情報取得部３２、原稿画像サイズ認識部３４、画像形成装置情報取得部３６、分割数算出部３８、画像分割処理部４０、及び各分割画像再構成部４２の機能を含んで構成されている。
【００３９】
画像情報取得部３２は、外部より通信制御部３０を介して受信して画像蓄積部１４に格納された、画像形成対象の画像情報を取得して、原稿画像サイズ認識部３４及び画像分割処理部４０へ出力する。
【００４０】
原稿画像サイズ認識部３４では、画像情報取得部３２より取得した画像情報の属性情報から画像サイズを認識し、認識結果を分割数算出部３８へ出力する。
【００４１】
画像形成装置情報取得部３６では、画像形成装置１０で形成可能な用紙に関する用紙情報を取得して取得結果を分割数算出部３８へ出力する。本実施形態では、画像形成装置１０で形成可能な最大サイズの用紙情報を取得する。なお、形成可能な最大サイズとしては、画像形成装置１０の能力として形成可能な最大サイズとしてもよいし、用紙切れ検知装置２８の検知結果に基づく、現在形成可能な最大サイズとしてもよい。或いは、操作表示部２２の操作によりユーザによって設定された用紙サイズを用紙情報として取得するようにしてもよい。
【００４２】
また、画像形成装置情報取得部３６は、画像形成装置１０で画像形成する際の余白に関する余白情報を取得して画像分割処理部４０へ取得した余白情報を出力する。なお、取得する余白情報としては、操作表示部２２によりユーザによって設定された設定値としてもよいし、画像形成装置１０の能力上の最小の余白情報としてもよい。なお、画像形成装置情報取得部３６が取得する余白情報としては、画像形成装部２０で画像形成する際の機械的な誤差（例えば、スキューなど）を補正したものを取得することが好ましい。或いは、誤差情報を取得して、余白情報を使用する際に余白情報を補正するようにしてもよい。
【００４３】
分割数算出部３８では、原稿画像サイズ認識部３４によって認識された出力対象の原稿画像サイズと、画像形成装置情報取得部３６によって取得された用紙情報（例えば、形成可能な最大サイズの用紙情報）に基づいて、分割数が算出される。
【００４４】
画像分割処理部４０では、画像情報取得部３２によって取得した原稿画像を表す画像情報を、分割数算出部３８で算出された分割数に分割する処理を行う。本実施形態では、画像形成装置情報取得部３６によって取得した余白情報に基づいて、各分割画像全ての余白分を差し引いた画像形成可能な画像の大きさを算出して、算出した大きさの画像を原稿画像の中央から切り出してから画像を分割する。
【００４５】
各分割画像再構成部４２は、画像分割処理部４０によって分割された各分割画像の余白が均等になるように画像の再構成（画像のセンタリング）を行って画像形成部２０へ出力することにより、各分割画像の画像形成を行うようになっている。
【００４６】
続いて、上述のように構成された本発明の第１実施形態に係わる画像形成装置１０において、分割出力モードが指示された場合の具体的な処理について説明する。図３は、本発明の第１実施形態に係わる画像形成装置１０の画像処理部１８で行われる画像分割処理の流れの一例を示すフローチャートである。
【００４７】
ステップ１００では、画像情報取得部３２によって取得された画像情報の属性情報から原稿画像サイズが原稿画像サイズ認識部３４によって認識されてステップ１０２へ移行する。以下では、ステップ１００で認識された原稿画像サイズが図４に示すＡ１サイズ（５９４ｍｍ×８４０ｍｍ）であった場合の一例を説明する。
【００４８】
ステップ１０２では、画像形成装置情報取得部３６によって画像形成装置１０の画像形成可能サイズ及び余白情報が取得されてステップ１０４へ移行する。例えば、以下では、画像形成可能サイズがＡ３（２９７ｍｍ×４２０ｍｍ）で余白が４ｍｍの余白情報の場合を一例として説明する。なお、画像形成可能サイズとしては、例えば、上述したように、画像形成装置１０の能力として形成可能な最大サイズを適用してもよいし、用紙切れ検知装置２８の検知結果に基づく現在形成可能な最大サイズを適用してもよいし、操作表示部２２の操作によりユーザによって設定された用紙サイズを適用するようにしてもよい。
【００４９】
ステップ１０４では、原稿画像サイズと画像形成可能サイズから分割数が分割数算出部３８によって算出されてステップ１０６へ移行する。すなわち、原稿画像の縦の大きさを画像形成可能サイズの縦の大きさで除算することにより得られる商を縦の分割数として算出し、原稿画像の横の大きさを画像形成可能サイズの横の大きさで除算することで得られる商を横の分割数として算出する。例えば、原稿画像サイズのＡ１サイズと画像形成可能サイズのＡ３サイズに基づいて分割数を決定する。この例の場合には、縦が５９４÷２９７＝２で、横が８４０÷４２０＝２となるので、縦横それぞれ２分割の４分割となる。なお、原稿画像を画像形成サイズで除算して小数点が存在する場合には、切り下げた値を分割数とすることにより、最小限の分割数が算出される。
【００５０】
ステップ１０６では、各分割画像の余白部分（例えば、画像形成不可能な領域や、余白として予め設定された領域）を差し引いた画像形成可能な画像の大きさ（仮想画像形成範囲）が画像分割処理部４０によって算出されてステップ１０８へ移行する。すなわち、用紙の縦の大きさから上下の余白部分の領域を差し引いて、縦の分割数を乗算した値を仮想画像形成範囲の縦の大きさとして算出し、用紙の横の大きさから左右の余白部分の領域を差し引いて、横の分割数を乗算した値を仮想画像形成範囲の横の大きさとして算出する。例えば、２×２のＡ３サイズの用紙で余白（一例として４ｍｍ）を考慮して画像形成可能な仮想画像形成範囲は、縦は（２９７ｍｍ−（４ｍｍ×２））×２分割＝５７８ｍｍとなり、横は（４２０ｍｍ−（４ｍｍ×２））×２分割＝８２４ｍｍとなる。
【００５１】
ステップ１０８では、画像情報取得部３２によって取得した画像情報（原稿画像）からステップ１０６で算出した大きさの画像が中央を基準として画像分割処理部４０によって切り出されてステップ１１０へ移行する。すなわち、原稿画像の縦の大きさから算出した仮想画像形成範囲の縦の大きさを差し引いて２で除算した値を縦の大きさ、原稿画像の横の大きさから算出した仮想画像形成範囲の横の大きさを差引いて２で除算した値を横の大きさとした、原稿画像の周縁部分以外が切り出される。具体的には、図５に示すように、Ａ１サイズの原稿画像からステップ１０６で算出した大きさの画像が切り出され、縦が（５９４−５７８）／２＝８ｍｍ、横が（８４０−８２４）／２＝８ｍｍ以外が切り出され、原稿画像の四隅の図５に示すグレー部分以外の（５７８ｍｍ×８２４ｍｍ）の画像が切り出される。
【００５２】
ステップ１１０では、切り出した画像が算出した分割数に画像分割処理部４０によって分割されてステップ１１２へ移行する。すなわち、分割された各分割画像は、原稿画像の中央から切り出された仮想画像形成範囲の縦の大きさを算出した縦の分割数で除算することで得られる商を縦の大きさとし、原稿画像の中央から切り出された仮想画像形成範囲の横の大きさを算出した横の分割数で除算することで得られる商を横の大きさとしたサイズの分割画像となる。上記例では、図５のグレー部分を除く画像が図６（Ａ）、（Ｂ）に示すように４分割される。各分割画像のサイズは、２８９ｍｍ×４１２ｍｍ（縦（５７８÷２）×横（８２４÷２））のサイズとなる。
【００５３】
ステップ１１２では、各分割画像再構成部４２によって各分割画像の再構成が行われてステップ１１４へ移行する。すなわち、図７（Ａ）、（Ｂ）に示すように、分割画像をそれぞれＡ３サイズの用紙に合わせてセンタリング（余白が均等になるように再構成）する。
【００５４】
ステップ１１４では、再構成された分割画像がそれぞれ画像形成部２０へ出力されることにより、図７（Ｂ）に示すような分割画像が形成されて一連の処理を終了する。
【００５５】
このように、原稿画像の大きさと画像形成する用紙の大きさに基づいて分割数を算出して、算出した分割数で分割した場合の各分割画像の画像形成可能範囲（余白を除く範囲）の総面積分の画像を原稿画像の中央を基準として切り出して分割するので、原稿画像の中央部分の画像の欠損がなくなる。一般的（図面あるいは図面を処理した情報を付加した画像（例えば、図面差分検出したような画像）の場合）には画像中央部分に重要部分が存在する可能性が高いため重要部分の分割による欠損がなくなる。
（第２実施形態）
続いて、本発明の第２実施形態に係わる画像形成装置１０の画像処理部１８で行われる画像分割処理について説明する。
【００５６】
第１実施形態では、原稿画像の周縁部分の画像が欠損する可能性があるが、第２実施形態では、原稿画像の全画像を形成可能なように分割するようにしたものであり、基本的な構成は第１実施形態と同一であり、画像処理部１８における分割数算出部３８及び画像分割処理部４０の機能で行われる処理が異なるのみであるため、以下では分割数算出部３８及び画像分割処理部４０で行われる処理を説明する。
【００５７】
本実施形態の画像分割処理は、まず、第１実施形態と同様に、原稿画像サイズと画像形成可能サイズから分割数を算出する。その後、算出した分割数の各分割画像の余白を考慮して分割数を再算出する。
【００５８】
一方、本実施形態の画像分割処理部４０では、中央を基準（原点）として再算出した分割数で原稿画像を分割する。すなわち、再算出によって分割画像の余白の大きさを考慮して分割数で分割するので原稿画像の全てが分割画像に含まれることになる。
【００５９】
次に、本発明の第２実施形態に係わる画像形成装置１０において、分割出力モードが指示された場合の具体的な処理について説明する。図８は、本発明の第２実施形態に係わる画像形成装置１０の画像処理部１８で行われる画像分割処理の流れの一例を示すフローチャートである。なお、第１実施形態と同一処理については同一符号を付して説明する。
【００６０】
ステップ１００では、画像情報取得部３２によって取得された画像情報の属性情報から原稿画像サイズが原稿画像サイズ認識部３４によって認識されてステップ１０２へ移行する。以下では、ステップ１００で認識された原稿画像サイズが図４に示すＡ１サイズ（５９４ｍｍ×８４０ｍｍ）であった場合の一例を説明する。
【００６１】
ステップ１０２では、画像形成装置情報取得部３６によって画像形成装置１０の画像形成可能サイズ及び余白情報が取得されてステップ１０４へ移行する。例えば、以下では、画像形成可能サイズがＡ３（２９７ｍｍ×４２０ｍｍ）で余白が４ｍｍの余白情報の場合を一例として説明する。なお、画像形成可能サイズとしては、例えば、上述したように、画像形成装置１０の能力として形成可能な最大サイズを適用してもよいし、用紙切れ検知装置１０の検知結果に基づく現在形成可能な最大サイズを適用してもよいし、操作表示部２２の操作によりユーザによって設定された用紙サイズを適用するようにしてもよい。
【００６２】
ステップ１０４では、原稿画像サイズと画像形成可能サイズから分割数が分割数算出部３８によって算出されてステップ１０６へ移行する。すなわち、原稿画像の縦の大きさを画像形成可能サイズの縦の大きさで除算することにより得られる商を縦の分割数として算出し、原稿画像の横の大きさを画像形成可能サイズの横の大きさで除算することで得られる商を横の分割数として算出する。例えば、原稿画像サイズのＡ１サイズと画像形成可能サイズのＡ３サイズに基づいて分割数を決定する。この例の場合には、縦が５９４÷２９７＝２で、横が８４０÷４２０＝２となるので、縦横それぞれ２分割の４分割となる。
【００６３】
ステップ１０５では、算出した分割数の各分割画像の余白部分（例えば、画像形成不可能な領域や、余白として予め設定された領域）を考慮した分割数が分割数算出部３８によって再算出されてステップ１０７へ移行する。すなわち、原稿画像の縦の大きさを画像形成可能サイズから上下の余白部分の領域を差し引いた値で除算した商の小数点以下を切り上げた値を縦の分割数として再算出し、原稿画像の横の大きさを画像形成可能サイズから左右の余白部分の領域を差し引いた値で除算した商の小数点以下を切り上げた値を横の分割数として算出する。例えば、原稿画像サイズがＡ１（５９４ｍｍ×８４０ｍｍ）、画像形成可能サイズがＡ３（２９７ｍｍ×４２０ｍｍ）、余白が上下左右各４ｍｍである場合には、縦が５９４÷（２９７−４×２）＝２．０５、横が８４０÷（４２０−４×２）＝２．０５となるので、それぞれ整数に切り上げて分割数が３×３の９分割となる。
【００６４】
ステップ１０７では、原稿画像の中央を基準（原点）として算出した分割数になるように画像分割処理部４０によって原稿画像が分割されてステップ１１２へ移行する。上述の例の場合には、図９に示すように、９分割されて原稿画像の中央の分割画像だけが画像形成可能領域全てに画像が形成され、他の分割画像については、一部に画像が形成される。
【００６５】
ステップ１１２では、各分割画像再構成部４２によって各分割画像の再構成が行われてステップ１１４へ移行する。すなわち、第１実施形態で説明したように、分割画像をそれぞれＡ３サイズの用紙に合わせてセンタリング（余白が均等になるように再構成）する。
【００６６】
ステップ１１４では、再構成された分割画像がそれぞれ画像形成部２０へ出力されることにより、分割画像が形成されて一連の処理を終了する。
【００６７】
このように、第２実施形態では、原稿画像の全てが含まれるように分割数を算出するので、画像の欠損がなくなる。
（第３実施形態）
続いて、本発明の第３実施形態に係わる画像形成装置１０の画像処理部１８で行われる画像分割処理について説明する。
【００６８】
第３実施形態では、原稿画像の周縁部分の画像の有無に応じて、第１実施形態の画像分割処理と第２実施形態の画像分割処理を切り換えるようにしたものである。
【００６９】
すなわち、画像処理部１８の分割数算出部３８及び画像分割処理部４０はそれぞれ第１実施形態及び第２実施形態で説明した機能を各々備えている。
【００７０】
また、画像分割処理部４０は原稿画像の周縁部分の画像の有無を判定する機能を更に備えた構成とされている。
【００７１】
本発明の第３実施形態に係わる画像形成装置１０において、分割出力モードが指示された場合の具体的な処理について説明する。図１０は、本発明の第３実施形態に係わる画像形成装置１０の画像処理部１８で行われる画像分割処理の流れの一例を示すフローチャートである。なお、第１実施形態及び第２実施形態と同一処理については同一符号を付して説明する。
【００７２】
ステップ１００では、画像情報取得部３２によって取得された画像情報の属性情報から原稿画像サイズが原稿画像サイズ認識部３４によって認識されてステップ１０２へ移行する。以下では、ステップ１００で認識された原稿画像サイズが図４に示すＡ１サイズ（５９４ｍｍ×８４０ｍｍ）であった場合の一例を説明する。
【００７３】
ステップ１０２では、画像形成装置情報取得部３６によって画像形成装置１０の画像形成可能サイズ及び余白情報が取得されてステップ１０４へ移行する。例えば、以下では、画像形成可能サイズがＡ３（２９７ｍｍ×４２０ｍｍ）で余白が４ｍｍの余白情報の場合を一例として説明する。なお、画像形成可能サイズとしては、例えば、上述したように、画像形成装置１０の能力として形成可能な最大サイズを適用してもよいし、用紙切れ検知装置２８の検知結果に基づく現在形成可能な最大サイズを適用してもよいし、操作表示部２２の操作によりユーザによって設定された用紙サイズを適用するようにしてもよい。
【００７４】
ステップ１０４では、原稿画像サイズと画像形成可能サイズから分割数が分割数算出部３８によって算出されてステップ１０６へ移行する。すなわち、原稿画像の縦の大きさを画像形成可能サイズの縦の大きさで除算することにより得られる商を縦の分割数として算出し、原稿画像の横の大きさを画像形成可能サイズの横の大きさで除算することで得られる商を横の分割数として算出する。例えば、原稿画像サイズのＡ１サイズと画像形成可能サイズのＡ３サイズに基づいて分割数を決定する。この例の場合には、縦が５９４÷２９７＝２で、横が８４０÷４２０＝２となるので、縦横それぞれ２分割の４分割となる。なお、原稿画像を画像形成サイズで除算して小数点が存在する場合には、切り下げた値を分割数とすることにより、最小限の分割数が算出される。
【００７５】
ステップ１０６では、各分割画像の余白部分（例えば、画像形成不可能な領域や、余白として予め設定された領域）を差し引いた画像形成可能な画像の大きさ（仮想画像形成範囲）が画像分割処理部４０によって算出されてステップ１０８へ移行する。すなわち、用紙の縦の大きさから上下の余白部分の領域を差し引いて、縦の分割数を乗算した値を仮想画像形成範囲の縦の大きさとして算出し、用紙の横の大きさから左右の余白部分の領域を差し引いて、横の分割数を乗算した値を仮想画像形成範囲の横の大きさとして算出する。例えば、２×２のＡ３サイズの用紙で余白（一例として４ｍｍ）を考慮して画像形成可能な仮想画像形成範囲は、縦は（２９７ｍｍ−（４ｍｍ×２））×２分割＝５７８ｍｍとなり、横は（４２０ｍｍ−（４ｍｍ×２））×２分割＝８２４ｍｍとなる。
【００７６】
ステップ１０８では、画像情報取得部３２によって取得した画像情報（原稿画像）からステップ１０６で算出した大きさの画像が中央を基準として画像分割処理部４０によって切り出されてステップ１０９へ移行する。すなわち、原稿画像の縦の大きさから算出した仮想画像形成範囲の縦の大きさを差し引いて２で除算した値を縦の大きさ、原稿画像の横の大きさから算出した仮想画像形成範囲の横の大きさを差引いて２で除算した値を横の大きさとした、原稿画像の周縁部分以外が切り出される。具体的には、図１１に示すように、Ａ１サイズの原稿画像からステップ１０６で算出した大きさの画像が切り出され、縦が（５９４−５７８）／２＝８ｍｍ、横が（８４０−８２４）／２＝８ｍｍ以外が切り出され、原稿画像の四隅の図１１に示すグレー部分以外の（５７８ｍｍ×８２４ｍｍ）の画像が切り出される。
【００７７】
ステップ１０９では、ステップ１０８で切り出した残り部分の領域に画像があるか否かが画像分割処理部４０によって判定される。例えば、切り出した原稿画像の周縁部分（図１１のグレー部分）に図１１に示すように画像が存在するか否かを画像情報に基づいて判定し、該判定が肯定された場合にステップ１０５へ移行し、否定された場合にステップ１１０へ移行する。なお、本実施形態では、当該ステップの判定を画像情報に基づいて画像分割処理部４０が判定するが、ユーザが目視認して操作表示部２２を操作することによる操作結果に基づいて判定するようにしてもよい。
【００７８】
ステップ１０５では、算出した分割数の各分割画像の余白部分（例えば、画像形成不可能な領域や、余白として予め設定された領域）を考慮した分割数が分割数算出部３８によって再算出されてステップ１０７へ移行する。すなわち、原稿画像の縦の大きさを画像形成可能サイズから上下の余白部分の領域を差し引いた値で除算した商の小数点以下を切り上げた値を縦の分割数として再算出し、原稿画像の横の大きさを画像形成可能サイズから左右の余白部分の領域を差し引いた値で除算した商の小数点以下を切り上げた値を横の分割数として算出する。例えば、原稿画像サイズがＡ１（５９４ｍｍ×８４０ｍｍ）、画像形成可能サイズがＡ３（２９７ｍｍ×４２０ｍｍ）、余白が上下左右各４ｍｍである場合には、縦が５９４÷（２９７−４×２）＝２．０５、横が８４０÷（４２０−４×２）＝２．０５となるので、それぞれ整数に切り上げて分割数が３×３の９分割となる。
【００７９】
ステップ１０７では、原稿画像の中央を基準（原点）として算出した分割数になるように画像分割処理部４０によって原稿画像が分割されてステップ１１２へ移行する。上述の例（９分割）の場合には、図９に示すように、９分割されて原稿画像の中央の分割画像だけが画像形成可能領域全てに画像が形成され、他の分割画像については、一部に画像が形成される。
【００８０】
一方、ステップ１１０では、切り出した画像が算出した分割数に画像分割処理部４０によって分割されてステップ１１２へ移行する。すなわち、分割された各分割画像は、原稿画像の中央から切り出された仮想画像形成範囲の縦の大きさを算出した縦の分割数で除算することで得られる商を縦の大きさとし、原稿画像の中央から切り出された仮想画像形成範囲の横の大きさを算出した横の分割数で除算することで得られる商を横の大きさとしたサイズの分割画像となる。第１実施形態で説明した例では、図５のグレー部分を除く画像が図６（Ａ）、（Ｂ）に示すように４分割される。各分割画像のサイズは、２８９ｍｍ×４１２ｍｍ（縦（５７８÷２）×横（８２４÷２））のサイズとなる。
【００８１】
ステップ１１２では、各分割画像再構成部４２によって各分割画像の再構成が行われてステップ１１４へ移行する。すなわち、分割画像をそれぞれ分割サイズの用紙に合わせてセンタリング（余白が均等になるように再構成）する。
【００８２】
ステップ１１４では、再構成された分割画像がそれぞれ画像形成部２０へ出力されることにより、分割画像が形成されて一連の処理を終了する。
【００８３】
このように、第３実施形態では、原稿画像の周縁部分の画像の存在有無に応じて画像分割処理を切り換えるようにしたので、原稿画像の欠損が確実に防止される。
（第４実施形態）
第３実施形態では、原稿画像の周縁部分に画像が存在する場合には画像分割処理を切り換えて分割数を増加するようにしたが、第４実施形態では、原稿画像の周縁部分に画像が存在する場合に、縦方向または横方向の一方向のみに画像が存在する場合には、画像が存在する方向のみの分割数を増加するように画像分割処理を切り換えるようにしたものである。
【００８４】
すなわち、第４実施形態の画像処理部１８の分割数算出部３８及び画像分割処理部４０はそれぞれ第３実施形態で説明した機能を各々備えると共に、加えて、画像分割処理部４０が、原稿画像の周縁部分に画像がある場合に一方向のみにあるか否かを判定する機能を備えている。
【００８５】
本発明の第４実施形態に係わる画像形成装置１０において、分割出力モードが指示された場合の具体的な処理について説明する。図１２は、本発明の第４実施形態に係わる画像形成装置１０の画像処理部１８で行われる画像分割処理の流れの一例を示すフローチャートである。なお、第１〜３実施形態と同一処理については同一符号を付して説明する。
【００８６】
ステップ１００では、画像情報取得部３２によって取得された画像情報の属性情報から原稿画像サイズが原稿画像サイズ認識部３４によって認識されてステップ１０２へ移行する。以下では、ステップ１００で認識された原稿画像サイズが図４に示すＡ１サイズ（５９４ｍｍ×８４０ｍｍ）であった場合の一例を説明する。
【００８７】
ステップ１０２では、画像形成装置情報取得部３６によって画像形成装置１０の画像形成可能サイズ及び余白情報が取得されてステップ１０４へ移行する。例えば、以下では、画像形成可能サイズがＡ３（２９７ｍｍ×４２０ｍｍ）で余白が４ｍｍの余白情報の場合を一例として説明する。なお、画像形成可能サイズとしては、例えば、上述したように、画像形成装置１０の能力として形成可能な最大サイズを適用してもよいし、用紙切れ検知装置２８の検知結果に基づく現在形成可能な最大サイズを適用してもよいし、操作表示部２２の操作によりユーザによって設定された用紙サイズを適用するようにしてもよい。
【００８８】
ステップ１０４では、原稿画像サイズと画像形成可能サイズから分割数が分割数算出部３８によって算出されてステップ１０６へ移行する。すなわち、原稿画像の縦の大きさを画像形成可能サイズの縦の大きさで除算することにより得られる商を縦の分割数として算出し、原稿画像の横の大きさを画像形成可能サイズの横の大きさで除算することで得られる商を横の分割数として算出する。例えば、原稿画像サイズのＡ１サイズと画像形成可能サイズのＡ３サイズに基づいて分割数を決定する。この例の場合には、縦が５９４÷２９７＝２で、横が８４０÷４２０＝２となるので、縦横それぞれ２分割の４分割となる。なお、原稿画像を画像形成サイズで除算して小数点が存在する場合には、切り下げた値を分割数とすることにより、最小限の分割数が算出される。
【００８９】
ステップ１０６では、各分割画像の余白部分（例えば、画像形成不可能な領域や、余白として予め設定された領域）を差し引いた画像形成可能な画像の大きさ（仮想画像形成範囲）が画像分割処理部４０によって算出されてステップ１０８へ移行する。すなわち、用紙の縦の大きさから上下の余白部分の領域を差し引いて、縦の分割数を乗算した値を仮想画像形成範囲の縦の大きさとして算出し、用紙の横の大きさから左右の余白部分の領域を差し引いて、横の分割数を乗算した値を仮想画像形成範囲の横の大きさとして算出する。例えば、２×２のＡ３サイズの用紙で余白（一例として４ｍｍ）を考慮して画像形成可能な仮想画像形成範囲は、縦は（２９７ｍｍ−（４ｍｍ×２））×２分割＝５７８ｍｍとなり、横は（４２０ｍｍ−（４ｍｍ×２））×２分割＝８２４ｍｍとなる。
【００９０】
ステップ１０８では、画像情報取得部３２によって取得した画像情報（原稿画像）からステップ１０６で算出した大きさの画像が中央を基準として画像分割処理部４０によって切り出されてステップ１１０へ移行する。すなわち、原稿画像の縦の大きさから算出した仮想画像形成範囲の縦の大きさを差し引いて２で除算した値を縦の大きさ、原稿画像の横の大きさから算出した仮想画像形成範囲の横の大きさを差引いて２で除算した値を横の大きさとした、原稿画像の周縁部分以外が切り出される。具体的には、図１１に示すように、Ａ１サイズの原稿画像からステップ１０６で算出した大きさの画像が切り出され、縦が（５９４−５７８）／２＝８ｍｍ、横が（８４０−８２４）／２＝８ｍｍ以外が切り出され、原稿画像の四隅の図１１に示すグレー部分以外の（５７８ｍｍ×８２４ｍｍ）の画像が切り出される。
【００９１】
ステップ１０９では、ステップ１０８で切り出した残り部分の領域に画像があるか否かが画像分割処理部４０によって判定される。例えば、切り出した原稿画像の周縁部分に画像が存在するか否かを画像情報に基づいて判定し、該判定が肯定された場合にステップ１１１へ移行し、否定された場合にステップ１１０へ移行する。なお、本実施形態では、当該ステップの判定を画像情報に基づいて画像分割処理部４０が判定するが、ユーザが目視認して操作表示部２２を操作することによる操作結果に基づいて判定するようにしてもよい。
【００９２】
ステップ１１１では、原稿画像の周縁部分に存在する画像が縦方向または横方向の一方向のみか否かが画像分割処理部４０によって判定される。すなわち、図１３（Ａ）に示すように、上下（縦）方向の原稿画像の周縁部分または図１３（Ｂ）に示すように、左右（横）方向の原稿画像の周縁部分に画像が存在するか否かを判定し、該判定が否定された場合にはステップ１０５へ移行し、肯定された場合にはステップ１１６へ移行する。なお、当該ステップの判定も、ユーザが目視認して操作表示部２２を操作することによる操作結果に基づいて判定するようにしてもよい。
【００９３】
ステップ１０５では、算出した分割数の各分割画像の余白（例えば、画像形成不可能な領域や、余白として予め設定された領域）を考慮した分割数が分割数算出部３８によって再算出されてステップ１０７へ移行する。すなわち、原稿画像の縦の大きさを画像形成可能サイズから上下の余白部分の領域を差し引いた値で除算した商の小数点以下を切り上げた値を縦の分割数として再算出し、原稿画像の横の大きさを画像形成可能サイズから左右の余白部分の領域を差し引いた値で除算した商の小数点以下を切り上げた値を横の分割数として算出する。例えば、原稿画像サイズがＡ１（５９４ｍｍ×８４０ｍｍ）、画像形成可能サイズがＡ３（２９７ｍｍ×４２０ｍｍ）、余白が上下左右各４ｍｍである場合には、縦が５９４÷（２９７−４×２）＝２．０５、横が８４０÷（４２０−４×２）＝２．０５となるので、それぞれ整数に切り上げて分割数が３×３の９分割となる。
【００９４】
ステップ１０７では、原稿画像の中央を基準（原点）として算出した分割数になるように画像分割処理部４０によって原稿画像が分割されてステップ１１２へ移行する。上述の例（９分割）の場合には、図９に示すように、９分割されて原稿画像の中央の分割画像だけが画像形成可能領域全てに画像が形成され、他の分割画像については、一部に画像が形成される。
【００９５】
また、ステップ１１６では、対応方向（画像が存在する方向）の分割数が画像分割処理部４０によって１つ増加されてステップ１１８へ移行して、原稿画像の中央を基準（原点）として算出した分割数になるように画像分割処理部４０によって原稿画像が分割されてステップ１１２へ移行する。
【００９６】
一方、ステップ１１０では、切り出した画像が算出した分割数に画像分割処理部４０によって分割されてステップ１１２へ移行する。すなわち、分割された各分割画像は、原稿画像の中央から切り出された仮想画像形成範囲の縦の大きさを算出した縦の分割数で除算することで得られる商を縦の大きさとし、原稿画像の中央から切り出された仮想画像形成範囲の横の大きさを算出した横の分割数で除算することで得られる商を横の大きさとしたサイズの分割画像となる。第１実施形態で説明した例では、図５のグレー部分を除く画像が図６（Ａ）、（Ｂ）に示すように４分割される。各分割画像のサイズは、２８９ｍｍ×４１２ｍｍ（縦（５７８÷２）×横（８２４÷２））のサイズとなる。
【００９７】
ステップ１１２では、各分割画像再構成部４２によって各分割画像の再構成が行われてステップ１１４へ移行する。すなわち、分割画像をそれぞれ分割サイズの用紙に合わせてセンタリング（余白が均等になるように再構成）する。
【００９８】
ステップ１１４では、再構成された分割画像がそれぞれ画像形成部２０へ出力されることにより、分割画像が形成されて一連の処理を終了する。
【００９９】
このように、第４実施形態では、原稿画像の周縁部分の一方向のみ画像が存在する場合には、対応する方向の分割数を増加するように画像分割処理を切り換えるようにしたので、分割数の増加を抑制して原稿画像の欠損が防止される。
【０１００】
なお、上記の第２〜４実施形態では、原稿画像の全てが分割画像に含まれるように分割数を増加（再算出）して分割する画像分割処理を行う例について説明したが、原稿画像の全てを含むように原稿画像を分割する画像分割処理としては、これ以外の方法を適用するようにしてもよい。例えば、原稿画像の周縁部分に画像が存在する場合に、原稿画像を回転することにより、分割数を減らせる場合があるので、原稿画像を回転してから分割するようにしてもよい。具体的には、図１４（Ａ）に示すように、縦方向及び横方向共に原稿画像の周縁部分に画像が存在する場合に、原稿画像の大きさがＡ１サイズ（５９４ｍｍ×８４０ｍｍ）、画像形成可能サイズがＡ３サイズ（２９７ｍｍ×４２０ｍｍ）、余白が上下左右共に４ｍｍであったとすると、原稿画像を９０度回転させることによって、縦が８４０÷（２９７−４×２）＝２．９１、横が５９４÷（４２０−４×２）＝１．４４となるので、それぞれ整数に切り上げると、図１４（Ｂ）に示すように、縦が３分割で横が２分割の合計６分割となる。一方、原稿画像を９０度回転しない場合は、上述の図１４（Ａ）に示すように縦横それぞれ３分割の合計９分割であるので、原稿画像の欠損を招くことなく分割数が減少する。
【０１０１】
また、上記の各実施形態において、原稿画像を分割した画像の縮小画像（所謂サムネイル画像）を分割確認用画像情報として生成し、１ページ内に配置した分割確認用画像（バナーシート）を、原稿画像１ページにつき１ページ画像形成するようにしてもよい。例えば、４分割の場合は図１５（Ａ）に示すような分割確認用画像の画像形成を行い、９分割の場合には図１５（Ｂ）に示すような分割確認用画像の画像形成を行うことにより、原稿画像を分割したときの状態がわかりやすくなる。
【０１０２】
また、上記の各実施形態におけるフローチャートで示す各処理は、ハードウエア構成で実現してもよいし、プログラムとしてソフトウエア構成で実現するようにしてもよい。
【０１０３】
また、上記の各実施形態では、画像形成装置１０を一例として説明したが、これに限るものではなく、例えば、画像処理部１８で行われる処理は、外部のコンピュータ等で行うようにしてもよい。
【符号の説明】
【０１０４】
１０    画像形成装置
１２    制御部
１８    画像処理部
２０    画像形成部
３２    画像情報取得部
３４    原稿画像サイズ認識部
３６    画像形成装置情報取得部
３８    分割数算出部
４０    画像分割処理部
４２    各分割画像再構成部
【図１】
0006007530.tif 000002
【図２】
0006007530.tif 000003
【図３】
0006007530.tif 000004
【図４】
0006007530.tif 000005
【図６】
0006007530.tif 000006
【図７】
0006007530.tif 000007
【図８】
0006007530.tif 000008
【図９】
0006007530.tif 000009
【図１０】
0006007530.tif 000010
【図１２】
0006007530.tif 000011
【図１４】
0006007530.tif 000012
【図５】
0006007530.tif 000013
【図１１】
0006007530.tif 000014
【図１３】
0006007530.tif 000015
【図１５】
0006007530.tif 000016